(57)【要約】  携帯機器と通信可能に接続され、車両内に配置される車載装置２が、携帯機器と通信して、携帯機器のアプリケーションに関連するデータを表示する表示スクリーン１２と、アプリケーションの識別情報を含むアプリケーションレコードを記憶するメモリ１６と、各アプリケーションは、１以上の携帯機器モデルと関連付けられており、携帯機器からモデル情報データを受信するように動作する通信ユニット１８と、ｉ）車両の速度を示す信号を受信し、ｉｉ）モデル情報データに基づいて、メモリからアプリケーションレコードに含まれるアプリケーションの識別情報を取得し、そして、ｉｉｉ）車両の速度が所定の速度しきい値を超えたとき、表示スクリーン上で、識別情報がメモリから取得された所定アプリケーションに関連するデータの表示を制御する、制御ユニット（２０）と、を有する。【選択図】図２
2015520689.tif 000002
【特許請求の範囲】
【請求項１】
車両内に配置され、携帯機器（４）と通信可能に接続された車載装置であって、
携帯機器と通信して、携帯機器の複数のアプリケーションに関連するデータを表示するように構成された表示スクリーン（１２）と、
携帯機器と関連付けて、所定のアプリケーションの識別情報が記憶されたアプリケーションレコードを記憶するように構成されたメモリ（１６）と、その所定のアプリケーションは、携帯機器のアプリケーションの中の１つであって、
携帯機器から、その携帯機器のモデル情報データを受信するように動作する通信ユニット（１８）と、及び、
ｉ）車両の速度を示す信号を受信し、
ｉｉ）携帯機器から受信されたモデル情報データに基づいて、メモリからアプリケーションレコードに含まれる所定のアプリケーションの識別情報を取得し、そして、
ｉｉｉ）車両の速度が所定の速度しきい値を超えたとき、表示スクリーン上における、所定アプリケーションに関連するデータの表示を制御する、ように動作する制御ユニット（２０）と、を有し、所定のアプリケーションは、メモリから取得された識別情報によって見分けられる車載装置。
【請求項２】
別の携帯機器が車載装置に通信可能に接続され、
前記所定のアプリケーションは、前記携帯機器に関連づけられるか、もしくは、前記携帯機器と別の携帯機器との両方に関連付けられる請求項１に記載の車載装置。
【請求項３】
前記携帯機器のアプリケーションの１つである、別のアプリケーションが、前記所定のアプリケーションに加えて、前記アプリケーションレコードに記録される請求項１又は２に記載の車載装置。
【請求項４】
前記メモリは、前記所定の速度しきい値を記憶する請求項１乃至３のいずれか１項に記載の車載装置。
【請求項５】
前記所定の速度しきい値と前記アプリケーションレコードとは、前記メモリの異なるエリアに分けて記憶される請求項４に記載の車載装置。
【請求項６】
前記制御ユニットは、車両の速度が所定の速度しきい値を超えたとき、前記表示スクリーンにおける前記所定のアプリケーションに関連するデータの表示を許可する請求項１乃至５のいずれか１項に記載の車載装置。
【請求項７】
前記制御ユニットは、車両の速度が所定の速度しきい値を超えたとき、前記表示スクリーンにおける前記所定のアプリケーションに関連するデータの表示を禁止する請求項１乃至５のいずれか１項に記載の車載装置。
【請求項８】
前記制御ユニットは、前記携帯機器に対する制御信号を生成するように動作し、
前記制御信号は、前記携帯機器から前記車載装置への、前記所定のアプリケーションに関連するデータの転送を制御するための、前記携帯機器に対する命令を含む請求項１乃至７のいずれか１項に記載の車載装置。
【請求項９】
前記所定のアプリケーションに関連し、前記表示スクリーンに表示されるためのデータは、表示データと称され、
前記表示データは、さらに、前記所定のアプリケーションの識別情報を含み、
前記制御ユニットは、前記携帯機器から受信した前記表示データをチェックして、前記所定のアプリケーションの識別情報を判定するように動作する請求項１乃至８のいずれか１項に記載の車載装置。
【請求項１０】
車両の速度を検出するように動作する速度検出ユニット（２０）をさらに有する請求項１乃至９のいずれか１項に記載の車載装置。
【請求項１１】
前記所定の速度しきい値は、前記携帯機器と関連付けられている請求項１乃至１０のいずれか１項に記載の車載装置。
【請求項１２】
前記メモリは、前記携帯機器のための前記所定の速度しきい値を記憶するとともに、前記別の携帯機器のための別の速度しきい値を記憶する請求項２、５、６乃至１１のいずれか１項に記載の車載装置。
【請求項１３】
前記メモリは、前記携帯機器及び前記別の携帯機器のため、前記所定の速度しきい値を記憶する請求項２、５、６乃至１１のいずれか１項に記載の車載装置。
【請求項１４】
前記通信ユニットは、前記携帯機器に制御信号を送信するとともに、前記携帯機器から前記所定のアプリケーションに関連するデータを受信するように動作する請求項８乃至１３のいずれか１項に記載の車載装置。
【請求項１５】
前記所定のアプリケーションは、ターミナルモードアプリケーションである請求項１乃至１４のいずれか１項に記載の車載装置。
【請求項１６】
前記アプリケーションレコードに含まれる前記所定のアプリケーションは、前記所定の速度しきい値と関連付けられ、
前記アプリケーションレコードに含まれる前記別の所定のアプリケーションは、別の所定の速度しきい値と関連付けられる請求項３、６乃至１１、１４、１５のいずれか１項に記載の車載装置。
【請求項１７】
請求項１乃至１６のいずれか１項に記載の車載装置を備える車両。
【請求項１８】
アプリケーションレコードとして、複数のアプリケーションの記録を記憶し、それらアプリケーションの各々は、１つ以上の携帯機器と関連付けられており、
車載装置が配置された車両の速度を示す信号を受信し、
前記携帯機器からモデル情報データを受信し、
前記携帯機器から受信した前記モデル情報データに基づいて、前記携帯機器と関連付けられた、前記アプリケーションレコードに含まれる少なくとも１つのアプリケーションの識別情報を取得し、そして、
車両の速度が所定の速度しきい値を越えたとき、前記車載装置の表示スクリーン上のデータ表示を制御し、前記車載装置の表示スクリーンに表示されるデータは、前記識別情報によって識別された少なくとも１つのアプリケーションに関連するものである車載装置のための方法。
【請求項１９】
さらに、前記所定の速度しきい値を記憶する請求項１８に記載の方法。
【請求項２０】
前記所定の速度しきい値と前記アプリケーションレコードとは、前記車載装置のメモリの異なるエリアに分けて記憶される請求項１９に記載の方法。
【請求項２１】
車両の速度が前記所定の速度しきい値を超えたとき、前記表示スクリーンにおける、前記識別情報によって識別された少なくとも１つのアプリケーションの表示が許可される請求項１８乃至２０のいずれか１項に記載の方法。
【請求項２２】
車両の速度が前記所定の速度しきい値を超えたとき、前記表示スクリーンにおける、前記識別情報によって識別された少なくとも１つのアプリケーションの表示が禁止される請求項１８乃至２０のいずれか１項に記載の方法。
【請求項２３】
さらに、前記携帯機器に対する制御信号を生成し、前記制御信号は、前記携帯機器から前記車載装置への、前記少なくとも１つのアプリケーションに関連するデータの転送を制御するための、前記携帯機器に対する命令を含む請求項１８乃至２２のいずれか１項に記載の方法。
【請求項２４】
さらに、前記少なくとも１つのアプリケーションに関連する、前記携帯機器から受信したデータを調べ、そのデータに含まれる、前記少なくとも１つのアプリケーションの識別情報を判定する請求項１８乃至２３のいずれか１項に記載の方法。
【請求項２５】
さらに、車両の速度を検出する請求項１８乃至２４のいずれか１項に記載の方法。
【請求項２６】
前記所定の速度しきい値は、前記携帯機器と関連付けられている請求項１８乃至２５のいずれか１項に記載の方法。
【請求項２７】
複数の所定の速度しきい値が記憶されるとき、それら所定の速度しきい値の各々は、前記携帯機器の各々に対して設定されたものであるか、もしくは、全ての前記携帯機器に対して設定されたものである請求項１８乃至２６のいずれか１項に記載の方法。
【請求項２８】
さらに、前記携帯機器に制御信号を送信するとともに、前記携帯機器から前記少なくとも１つのアプリケーションに関連するデータを受信する請求項２３乃至２７のいずれか１項に記載の方法。
【請求項２９】
前記少なくとも１つのアプリケーションは、ターミナルモードアプリケーションを含む請求項１８乃至２８のいずれか１項に記載の方法。
【請求項３０】
識別された異なるアプリケーションに関するデータの表示制御は、それぞれ異なる所定の速度しきい値に基づくものである請求項１８乃至２９のいずれか１項に記載の方法。
【請求項３１】
プログラマブル装置に、請求項１８乃至３０のいずれか１項に記載の方法を実行させるためのプロセッサが実行可能なインストラクションを含むコンピュータプログラム製品。
【発明の詳細な説明】
【技術分野】
【０００１】
（関連出願への相互参照）
本出願は、２０１２年５月３１日提出の参照する英国特許出願第１２０９７１２．７に基づくものであり、その開示内容は参照により本明細書に組み入れられる。
【０００２】
本開示は、概して、車載装置、車両、及び車載装置のための方法に関するものである。
【背景技術】
【０００３】
いくつかの車両では、ユーザが、車載装置を介して携帯機器へアクセスすることができるように、携帯電話などのユーザの携帯機器を車載装置と接続、もしくはペアにすることができるようになっている。これにより、例えば、ユーザは、車載装置によってコントロールされる携帯電話から電話をかけることができるようになる。また、いくつかの車両は、ユーザが、運転中に車両の操縦装置から手を離さずとも、携帯電話を使用可能にするハンズフリーシステムを装備している。加えて、他の装置、例えば、携帯機器に記憶された音楽を車両のサウンドシステムを通じて再生できるよう、その携帯機器が、車載装置に接続されえる。ユーザは、車載装置を用いて、携帯機器を操作することもできる。
【０００４】
特開２００９−２８１９９１号公報には、走行状態、情報種別（例えば、映像又は写真）、及びデジタル装置によって生成されたデータを表示するための表示態様における関係を定義したテーブルを記憶した車載装置について記載されている。その装置は、ユーザに対して、現在の走行状態に適した表示態様での表示を提供する。例えば、車両が高速度で走行しており、かつ情報種別が映像であるとき、装置は、非表示モードとなる。しかしながら、車載装置とペアにされる携帯機器は、多様な種々の仕様があり、車両の速度に基づく表示の制御は、その機器の仕様に依存する。
【発明の概要】
【０００５】
第１の面から見ると、車両の現在の速度と、車載装置に接続された携帯機器の分類カテゴリとに基づいて、車載装置が、その接続された携帯機器から車両のディスプレイへの出力を制御することができるアプローチが提供される。従って、接続された携帯機器からの表示の一部又は全部を再現する機能が、車両が速度しきい値に達した時、定められた種類又は分類の携帯機器に対して一時停止される。いくつかの例では、制御される出力は、接続されたスマートフォンのターミナルモードの出力である。
【０００６】
別の面から見ると、車載装置が提供され、その車載装置は、車両内に配置され、携帯機器と通信可能に接続されており、携帯機器と通信して、携帯機器の複数のアプリケーションに関連するデータを表示するように構成された表示スクリーンと、携帯機器と関連付けて、所定のアプリケーションの識別情報が記憶されたアプリケーションレコードを記憶するように構成されたメモリと、その所定のアプリケーションは、携帯機器のアプリケーションの中の１つであって、携帯機器から、その携帯機器のモデル情報データを受信するように動作する通信ユニットと、及び、車両の速度を示す信号を受信し、携帯機器から受信されたモデル情報データに基づいて、メモリからアプリケーションレコードに含まれる所定のアプリケーションの識別情報を取得し、そして、車両の速度が所定の速度しきい値を超えたとき、表示スクリーン上における、所定アプリケーションに関連するデータの表示を制御するように動作する制御ユニットと、を有し、所定のアプリケーションは、メモリから取得された識別情報によって見分けられる。これにより、携帯機器が発生した表示データの、速度及び機器モデルによる選択的な制御が達成される。つまり、所定のアプリケーションに関連するデータの表示は、アプリケーションレコードにその所定アプリケーションを記憶することによって、車両の速度に基づいて制御される。
【０００７】
いくつかの実施形態においては、メモリは、所定の速度しきい値を記憶するようにしても良い。このようにすれば、速度しきい値は、簡便にアクセスされ得る。
【０００８】
いくつかの実施形態において、所定の速度しきい値とアプリケーションレコードとは、メモリの異なるエリアに分けて記憶されても良い。このようにすると、いずれかのデータセットのアップデートが、他と独立して行うことができ、従って、機器モデルのリリースや改良に基づくアップデート、及び車両の選択的な改良に基づくアップデートの独立した実行を提供することができる。
【０００９】
いくつかの実施形態において、取得された識別情報によって見分けられた所定アプリケーションの表示スクリーンにおける表示は、検出された車両の速度が所定の速度しきい値を超えたときに許可されても良い。このように、高速走行の間に許容されるアプリケーションのパスリストが規定される。
【００１０】
いくつかの実施形態において、取得された識別情報によって見分けられた所定アプリケーションの表示スクリーンにおける表示は、検出された車両の速度が所定の速度しきい値を超えたときに禁止されても良い。このように、高速走行の間に許容されないアプリケーションのストップリストが規定される。
【００１１】
いくつかの実施形態において、制御ユニットは、携帯機器に対する制御信号を生成するように動作しても良い。制御信号は、携帯機器から車載装置への、所定アプリケーションに関連するデータの転送を制御するための、携帯機器に対する命令を含む。これにより、表示出力の制御が、表示信号の発生源を制御することによって達成される。
【００１２】
いくつかの実施形態において、制御ユニットは、携帯機器から受信したデータをチェックして、所定アプリケーションに関連するデータにおいて、所定アプリケーションの識別情報を判定するように動作しても良い。これにより、表示出力の制御が、携帯機器から受信される表示信号を傍受することによって達成される。
【００１３】
いくつかの実施形態において、装置は、さらに、車両の速度を検出するように動作する速度検出ユニットを有していても良い。それにより、装置は、直接的に車両速度を得ることができる。
【００１４】
いくつかの実施形態において、所定の速度しきい値は、携帯機器と関連付けられていても良い。このようにすれば、速度ベースのアプリケーション制御が、携帯機器ごとに実行され得る。
【００１５】
いくつかの実施形態において、メモリは、複数の所定の速度しきい値を記憶し、１つのしきい値が、各携帯機器モデルに、もしくは携帯機器モデルの１つのグループに対応するものであっても良い。それにより、異なる携帯機器に対して、異なる車両速度で、アプリケーション制御を行うことができる。さらに、異なる携帯機器に対し、同じ車両速度でアプリケーション制御を行うこともできる。
【００１６】
いくつかの実施形態において、通信ユニットは、携帯機器に制御信号を送信するとともに、携帯機器から所定アプリケーションに関連するデータを受信するように動作するものであっても良い。これにより、携帯機器のアプリケーションを制御するために、遠隔アプリケーション制御を用いることができる。
【００１７】
いくつかの実施形態において、所定のアプリケーションは、ターミナルモードアプリケーションであっても良い。それにより、携帯機器からのすべての表示出力は、好都合にも、画一化されることができる。
【００１８】
いくつかの実施形態において、アプリケーションレコードにおいて識別される異なるアプリケーションは、異なる所定の速度しきい値と関連付けられても良い。それにより、異なるアプリケーションに対し、異なる車両速度で制御を行うことができる。
【００１９】
もう１つの面から見ると、上述した装置を有する車両が提供される。
【００２０】
さらなる面から見ると、車載装置のための方法が提供され、その方法は、アプリケーションレコードとして、複数のアプリケーションの記録を記憶し、アプリケーションの各々は、１つ以上の携帯機器と関連付けられており、車載装置が配置された車両の速度を示す信号を受信し、携帯機器からモデル情報データを受信し、モデル情報データに基づいて、携帯機器と関連付けられたアプリケーションレコードに含まれる少なくとも１つのアプリケーションに対応する識別情報を取得し、そして、車両の速度が所定の速度しきい値を越えたとき、車載装置の表示スクリーン上のデータ表示を制御し、車載装置の表示スクリーンに表示されるデータは、識別情報によって識別されたアプリケーションの少なくとも１つに関連するものである。これにより、携帯機器が発生した表示データの、速度及び機器モデルによる選択的な制御が達成される。つまり、アプリケーションの少なくとも１つに関連するデータの表示は、アプリケーションレコードにそのアプリケーションを記憶することによって、車両の速度に基づいて制御される。
【００２１】
さらなるもう１つの面から見ると、プログラマブル装置に上述した方法を実行させるためのプロセッサが実行可能なインストラクションを含む、及び／又は上述した装置として構成されるためのコンピュータプログラム製品が提供される。
【００２２】
本教示によって与えられるさらなる特徴の組み合わせが、以下の詳細な説明及び添付図面から理解されるようになる。また、本教示は、単なる例示によって、かつ同様の番号が同様の要素を示す下記図面を参照して説明される。
【図面の簡単な説明】
【００２３】
【図１】図１は、本開示の実施形態による、車載装置及び携帯機器を示す概略図である。
【図２】図２は、本開示の実施形態による、車載装置及び携帯機器のブロック図である。
【図３】図３は、車載装置によって実行される例示としてのプロセスを示すフローチャートである。
【発明を実施するための形態】
【００２４】
本開示は、種々の変形や代替の形態を許容するが、具体的な実施例が、図示された例によって示されており、本明細書において詳細に説明される。しかしながら、図面及びその詳細な説明が、本開示を、開示された特定の形態に制限することを意図したものではなく、むしろ、本開示は、本開示の範囲に含まれる全ての変形、均等物、代替物を含むべきものであることが理解されるべきである。
【００２５】
図１は、１つの例に従う、車両の内部１の一部を概略的に示している。この例において、車両のダッシュボードが図示されているが、車載装置を含む車両の他の部分も使用されても良いことが理解されるであろう。例えば、車載装置は、車両のリヤシートに着座した乗員によって見ることができるよう、車両のフロントシートの一方もしくは両方のヘッドレストに設置されても良い。
【００２６】
車両の内部１の一部が、車載装置２を含んでいる。本例においては、車載装置２は、車載装置２に接続された携帯機器４から受信された内容を表示することが可能な表示装置である。表示装置として構成される車載装置２は、他の機能、例えば、ｓａｔ−ｎａｖとして知られた衛星ナビゲーションユニット、エンターテイメントシステムの操作装置（例えば、ボリューム、トラック、スキップ、ポーズ）、もしくは車両システムコントロールなどを含んでいても良い。車載装置２は、接続された機器４から受信した内容を表示するための表示ユニット１０を含み、もし装置が上記の機能を備えるならば、ルート計画に関する情報や、車両に関連する情報も表示する。本例においては、表示ユニット１０は、ＬＣＤとして知られた液晶ディスプレイによって構成されるが、例えば発光ダイオードディスプレイ、もしくはＥＬディスプレイなど、他のディスプレイ技術が用いられても良い。
【００２７】
図１は、車載装置２と通信する携帯機器４も示している。本例の携帯機器４は、携帯電話である。しかしながら、携帯機器４は、携帯音楽プレーヤ、もしくは他の携帯可能又は移動可能な、車載装置２とインターフェース接続可能な電子機器を含んでもよい。車載装置２と携帯機器４との通信は、双方向である。
【００２８】
本例の携帯機器４は、車両もしくは車載装置２の一部をなすものではない。携帯機器４は、有線又は無線接続を用いて、車載装置２と通信する。例えば、携帯機器４は、ＵＳＢ接続を用いて、車載装置２に接続されても良い。別の例は、Ｂｌｕｅｔｏｏｔｈ（登録商標）、ＩＥＥＥ１３９４、ＩＥＥＥ８０２．１１、又はＺｉｇＢｅｅ（登録商標）を用いた有線又は無線接続を含むが、接続は、それらの例に制限されない。携帯機器４は、表示スクリーン６及び入力部８を備えた表示ユニット２４を含む。入力部８は、キーパッドによって構成されても良い。また、入力部８は、タッチスクリーンの形式において、表示スクリーン６の一部であっても良いことが理解されるであろう。携帯機器４の表示スクリーン６は、ＬＣＤによって構成されるが、例えば発光ダイオードディスプレイ、もしくはＥＬディスプレイなど、他のディスプレイ技術が用いられても良い。
【００２９】
図２は、車載装置（ＩＮ−Ｖ  ＡＰＰＡ）２と携帯機器４を概略的に示している。車載装置２は、表示ユニット（ＤＩＳＰＬＡＹ）１０、メモリ１６、通信ユニット（ＣＯＭＭ）１８、及び制御ユニット（ＣＯＮＴＲＯＬ）２０を含んでいる。通信ユニット１８は、携帯機器４へ、及び携帯機器４からデータを伝送する通信機と称されても良い。メモリ１６は、ＲＯＭ及びＲＡＭの形式のものであるが、いかなる形式のソリッドステートメモリもしくはドライブであっても良い。例えば、メモリは、着脱可能なフラッシュドライブ又はハードディスクドライブの形式のものであっても良い。表示ユニット１０は、例えばＬＣＤである表示スクリーン（ＳＣＲＥＥＮ）１２と、入力部（ＩＮＰＵＴ）１４とを有する。入力部１４は、例えば、表示スクリーン１２の上に重ねられる容量式タッチパネルの形式の、タッチスクリーン又はタッチパネルによって構成されても良い。タッチスクリーンは、例えば抵抗式や赤外線式など代替の技術を用いて構成されたものであっても良い。
【００３０】
操作パネルは、表示ユニット１０から独立したものが使用されても良く、例えば、車載装置２は、表示ユニット１０から分かれ、ユーザに車載装置２の操作を可能とする多数のプッシュボタンを含む操作パネルを備えていても良い。操作パネルの入力ユニットは、回転式の操作部、ジョッキーホイール、もしくは他の方向操作装置を含んでいても良い。
【００３１】
通信ユニット１８は、車載装置２が携帯機器４と通信することを可能とするためのハードウエア及びソフトウエアを含む。本例においては、通信ユニット１８は、車載装置２及び携帯機器４のそれぞれにおいてＵＳＢ接続を用いた、有線接続を使用する。携帯機器４が、車載装置２におけるＵＳＢ接続を用いて車載装置２に接続されたとき、公知の技術を用いて、通信チャンネル３２が確立される。通信ユニット１８によって使用されるすべてのソフトウエアは、通信ユニット１８内のＲＯＭ（図示せず）内に格納されているが、車載装置２のメモリ１６のＲＯＭ部に格納されても良い。上述したように、携帯機器４と車載装置２との間の通信は、他の形式の有線又は無線接続を用いて実行されても良い。
【００３２】
制御ユニット２０は、車載装置２の構成要素をコントロールするとともに、メモリ１６、表示ユニット１０、及び通信ユニット１８と通信する。制御ユニット２０は、車両の通信バス２２から、例えば車両速度情報、温度データ、回転計データなどの車両関連情報も受信する。
【００３３】
携帯機器４は、表示ユニット（ＤＩＳＰＬＡＹ）２４、メモリ２６、通信ユニット（ＣＯＭＭ）２８、及び制御ユニット（ＣＯＮＴＲＯＬ）３０を含んでいる。通信ユニット２８は、通信機によって構成されても良い。メモリ２６は、ＲＯＭ及びＲＡＭの形式のものであるが、いかなる形式のソリッドステートメモリもしくはドライブであっても良い。例えば、メモリは、着脱可能なフラッシュドライブ又はハードディスクドライブの形式のものであっても良い。表示ユニット２４は、例えばＬＣＤである表示スクリーン（ＳＣＲＥＥＮ）６と、例えば容量式タッチパネルの形式の入力部（ＩＮＰＵＴ）８とを有する。入力部８は、例えば、表示スクリーン６の上に重ねられても良いし、携帯機器４の別の部分に配置されても良い。入力部８がタッチパネルによって構成される場合、タッチパネルは、例えば抵抗式や赤外線式など代替の技術を用いて構成されたものであっても良い。
【００３４】
携帯機器４の操作は、ユーザに携帯機器４の操作を可能とする多数のプッシュボタンを含む別個の操作パネルを用いて、達成されても良いことが理解されるであろう。操作パネルの入力ユニットは、回転式の操作部、ジョッキーホイール、もしくは他の方向操作装置を含んでいても良い。
【００３５】
通信ユニット２８は、携帯機器４が車載装置２と通信することを可能とするためのハードウエア及びソフトウエアを含む。本例においては、通信ユニット２８は、車載装置２と通信するためにＵＳＢを使用する。通信ユニット２８によって使用されるすべてのソフトウエアは、通信ユニット２８内のＲＯＭ（図示せず）内に格納されているが、携帯機器４のメモリ２６のＲＯＭ部に格納されても良い。上述したように、携帯機器４と車載装置２との間の通信は、他の形式の有線又は無線接続を用いて実行されても良い。
【００３６】
本例における携帯機器４は、携帯電話である。しかしながら、携帯タブレット型ＰＣや、音楽プレーヤであっても良く、例えば、それらは電話機能を含んでも良いし、含まなくとも良い。とは言うものの、本教示に関連しない携帯機器のそれらの面は説明されないことが理解され、その一方で、それらは公知の技術を用いて実施されることが理解されるであろう。
【００３７】
制御ユニット３０は、携帯機器４の構成要素をコントロールするとともに、メモリ２６、表示ユニット２４、及び通信ユニット２８と通信する。例えば、制御ユニット３０は、アプリケーションプログラムを立ち上げるために、入力部８から、ユーザからの操作信号を受信する。以後、アプリケーションプログラムは、略して、アプリケーションとも称される。アプリケーションは、携帯機器４によって実行されるいずれのアプリケーションであっても良く、オーディオ再生アプリケーション、映像再生アプリケーション、情報提示アプリケーション、ゲーム、（氏名及び住所アプリケーションのような）情報記録及び／又は検索アプリケーション、及び（ターミナルモードアプリケーションのような）システムアプリケーションの１つ以上を含む。制御ユニット３０は、立ち上げられたアプリケーションを表示するために、表示スクリーン６を制御する。
【００３８】
前述したように、携帯機器４と車載装置２とは、通信チャンネル３２を介して通信する。より詳細には、携帯機器４の通信ユニット２８が、車載装置２の通信ユニット１８と通信する。一例によれば、車載装置２は、携帯機器４の表示スクリーン６に表示されるデータに関して、携帯機器４からデータを受信する。さらに、車載装置２の制御ユニット２０からの制御信号が、確立された通信チャンネル３２を介して、携帯機器４の制御ユニット３０に伝送され、制御ユニット３０によって受信される。
【００３９】
本例においては、車載装置２が、通信チャンネル３２を介して携帯機器４に制御信号を送信することができるようにするため、及び携帯機器４の表示又はその部分が、車載装置２の表示スクリーン１２上で再生されることができるようにするため、バーチャルネットワークコンピューティング（ＶＮＣ）式のアプローチが用いられる。ただし、ＶＮＣに代えて、例えば、Ｘウインドウシステム（又はＸ１１）や、ＭｉｒｒｏｒＬｉｎｋ（登録商標）のようなターミナルモードシステムなどの他のプロトコルが使用されても良いことが理解されるであろう。
【００４０】
携帯機器４が、地図又はルート計画アプリケーションを有する場合、ユーザは、車載装置２の表示スクリーン１２上にそれを表示することを願うかもしれない。ユーザは、車載装置２の表示スクリーン１２上に表示されることを願うかもしれないさらなる例は、携帯機器４において利用可能なビデオプレーヤアプリケーションであっても良い。例として、ルート計画アプリケーション及びビデオプレーヤアプリケーションが携帯機器４において実行されるとき、ルート計画アプリケーション及びビデオプレーヤアプリケーションが車載装置２のスクリーン１２上に表示されるものとする。
【００４１】
図３は、車載装置２の表示スクリーン１２上において、携帯機器４により実行されるアプリケーションの表示を制御するために、車載装置２の制御ユニット２０によって実行されるプロセスのフローチャートである。図３に示されるプロセスが実行される前に、携帯機器４と車載装置２とは通信チャンネル３２を確立することが理解されるであろう。これは、当業者に知られた典型的な手法によって実行される。例えば、携帯機器４の制御ユニット３０は、近傍の装置を探索し、ユーザに接続すべき装置を選択するよう促す。これにより、ユーザは、車載装置２を選択する。すると、携帯機器４と車載装置２との間に双方向通信チャンネルが確立される。接続装置を設定するプロセスの間、２つの機器と装置の間で、識別情報が伝送される。それらの識別情報は、車載装置２及び携帯機器４のそれぞれのメモリ１６、２６に記憶されている。
【００４２】
Ｓ１において、携帯機器４において実行可能なアプリケーション名を含むレコードのリスト又は他のストアが、アプリケーションリストとして記憶される。このアプリケーションリストは、アプリケーションレコードとも称される。各アプリケーションは、１以上の携帯機器と関連付けられている。例えば、リストにおける最初の見出しが、ルートプランナーと呼ばれるアプリケーションのためのものであり、それが、第１の携帯機器と第２の携帯機器とに関連付けられている。さらに、リストにおける２番目の見出しが、ビデオプレーヤと呼ばれるアプリケーションのためのものであり、第１の携帯機器と第３の携帯機器とに関連付けられている。以下、第２の携帯機器と第３の携帯機器とは、異なる携帯機器とも称される。アプリケーション名のリストは、車載装置２のメモリ１６に記憶される。リストは、車載装置２が最初に車両内に設置されるときに、予め記憶されていても良いし、ユーザによってアップロードされても良いし、携帯機器４を通じて、あるいは、車載装置２に適合する記憶装置などの他の手段から、アップロード／更新されても良い。
【００４３】
レコードの別のリスト又は他のストアに、所定の速度しきい値が記憶されている。以下、所定の速度しきい値は、速度しきい値とも称される。別のリストは、本例では、アプリケーションリストとはメモリ１６の異なる場所に記憶されている。速度しきい値の記憶も、Ｓ１において行われる。Ｓ１は、好ましくは、携帯機器４が、車載装置２と接続されたり、ペアにされたりする前に行われる。ただし、アプリケーションリスト及び速度しきい値は、携帯機器４が車載装置２とペアにされた後に、車載装置２にアップロードされても良い。速度しきい値がアプリケーションリストとは異なる場所に記憶されている場合、アップロードを行い、異なる値にすることがより簡単になる。いくつかの実施形態では、多数の速度しきい値が、車載装置２にアップロードされたり、記憶されたりすることが必要であり、それらの各々は、１以上のアプリケーションと関連付けられている。従って、異なるアプリケーションは、異なる速度しきい値に従って制御される。例えば、運転者の注意力障害へ比較的小さな影響しか与えないと考えられるアプリケーションは、運転者の注意力障害へ比較的大きな影響を与えると考えられるアプリケーションよりも高い速度しきい値を持つ。
【００４４】
Ｓ２において、車載装置２は、携帯機器４が持ち込まれた車両の速度を示す信号を受信する。車両の速度を示す信号は、車両の通信バス２２から受信され、車両に関するデータも含んでいる。本例では、速度関連データは、車両の中央処理装置（ＣＰＵ）から送信される。車両のＣＰＵは、好ましくは、車両に搭載されたセンサから速度関連データを受信し、それが、車載装置２へリレーされる。さらに、本例では、車載装置２が、車両の速度の指示値を得るために、車両のＣＰＵに要求を送信する。以下、車両の速度は、車両速度とも称される。あるいは、車載装置２は、車両のＣＰＵから車両速度の指示値を周期的に受信するように構成されても良い。
【００４５】
Ｓ３において、車載装置２は、車載装置２とペアにされた携帯機器４のモデル情報に関するデータを受信する。携帯機器４のモデル情報は、携帯機器４と車載装置２との間の通信チャンネル３２が確立されたときに、携帯機器４から送信される。このモデル情報は、Ｓ３において、携帯機器４のモデル情報がメモリ１６から検索することができるように、後の検索のために、車載装置２のメモリ１６に記憶される。
【００４６】
Ｓ４において、車載装置２はメモリ１６にアクセスして、アプリケーションリストを検索する。特に、車載装置２は、車載装置２に接続される１以上の携帯機器４と関連付けられた、アプリケーションリストに現れるアプリケーションの名前や識別情報を検索する。例えば、第１の携帯機器が携帯機器４として車載装置２に接続されたときには、ルートプランナー及びビデオプレーヤの名前又は識別情報が、車載装置２のメモリ１６に記憶されたアプリケーションリストから検索される。第２の携帯機器が携帯機器４として車載装置２に接続されたときには、アプリケーションのルートプランナーだけが、車載装置２のメモリ１６に記憶されたアプリケーションリストから検索される。
【００４７】
Ｓ５において、車載装置２は、周期的に、車両の通信バス２２から車両の速度関連データを受信し、受信された車両速度の指示値と、記憶された所定の速度しきい値（ＴＨ）とを比較する。速度しきい値は、比較が行われるときに、メモリ１６から取得されたものである。Ｓ５において、車両速度の指示値が、速度しきい値よりも大きくないと判定された場合、プロセスは、Ｓ５の初めに戻り、速度しきい値と車両速度の指示値との比較を継続する。一方、Ｓ５において、車両速度の指示値が、取得された速度しきい値（ＴＨ）を越えたと判定された場合、プロセスは、Ｓ５に移動する。
【００４８】
Ｓ６では、車載装置２の制御ユニット２０が、車載装置２の表示スクリーン１２におけるアプリケーションの表示を制御する。制御ユニット２０によって実行される制御は、識別情報がメモリ１６から取得されたアプリケーションのみの表示を許可すること、もしくは、識別情報がメモリ１６から取得されたアプリケーションの表示を禁止することである。
【００４９】
例えば、第１の携帯機器が携帯機器４として車載装置２に接続された場合、Ｓ４において、ルートプランナー及びビデオプレーヤのアプリケーション名又は識別情報が、メモリ１６から取得される。車両速度の指示値が、記憶された速度しきい値を越えたと判定されたとき、アプリケーションのルートプランナー及びビデオプレーヤは、車載装置２の表示スクリーン１２に表示されることが禁止される。あるいは、車両速度の指示値が、記憶された速度しきい値を越えたと判定されたとき、携帯機器で起動しているアプリケーションのルートプランナー及びビデオプレーヤだけが、車載装置２の表示スクリーン１２に表示され得るアプリケーションとなる。つまり、車両速度の指示値が、速度しきい値を越えたとき、起動しているルートプランナー及びビデオプレーヤ以外の、他のすべてのアプリケーションは表示が禁止される。
【００５０】
以下に、車載装置２におけるアプリケーションの表示の制御について説明する。本例では、車両の速度が速度しきい値を越えたと判定されたとき、制御ユニット２０は携帯機器４に制御信号を送信し、その携帯機器４と関連付けられたリストに現れる識別情報のアプリケーションに関連する表示データを、携帯機器４が送信することを終了するよう、もしくは送信しなくなるよう、携帯機器４に命じる。あるいは、制御信号は、車両速度の指示値が速度しきい値を越えたとき、リストに現れる識別情報を持つアプリケーションの表示データだけを送信するよう、携帯機器４に命じる。なお、識別されたアプリケーションが携帯機器４において起動しているとき、表示データは、携帯機器４から送信されることを許可され、又は禁止されるだけであることが理解されるであろう。
【００５１】
従って、車両の速度に応じ、かつ携帯機器に基づき、所定のアプリケーションの表示を制御することが可能になる。上述した例においては、所定のアプリケーションはルートプランナー及びビデオプレーヤである。つまり、車載装置２は、車両の速度が所定の速度しきい値を越えたとき、車載装置２の表示スクリーン１２上において、所定のアプリケーションに関するデータの表示を制御（禁止又は許可）する。
【００５２】
別の例では、車載装置２の制御ユニット２０は、携帯機器４に制御信号を送信しない。代わりに、制御ユニット２０は、携帯機器４から受信された表示データをチェックし、表示データがどのアプリケーションに関連するものかを判定する。例えば、制御ユニット２０は、表示データをチェックして、そのデータに含まれるアプリケーションの名前又は識別情報を判定する。制御ユニット２０が、表示データからアプリケーション名を発見すると、表示データを表示すべきか否かを判定するプロセスが実行される。この例では、携帯機器４から送信されるすべての表示データがチェックされ、表示データに含まれるアプリケーション名が判定される。
【００５３】
車載装置２のメモリ１６に記憶された所定の速度しきい値は、１以上の携帯機器４と関連付けられている。さらに、メモリ１６は、複数の所定の速度しきい値を記憶しており、それらは、１よりも多い携帯機器４が車載装置２に接続されるときに、各携帯機器４のために記憶されている。
【００５４】
別の例では、車載装置２は、速度検出ユニット（図示せず）を含む。例えば、速度検出ユニットは、車両速度を決定するために、ＧＰＳデータに基づく車両の動きを使用する、車載装置２において実行されるアプリケーションの形態を採るものであっても良い。
【００５５】
本開示がいくつかの実施形態及び説明的な図面による例示によって説明されたが、当業者は、本開示が、それらの実施形態や図面に制限されるものではないことを認めるだろう。図面及び詳細な説明は、開示された特定の形態に本開示を制限することを意図するものではなく、むしろ反対に、本開示の主旨及び範囲に含まれる全ての変形、均等物、代替物を含むべきことが意図されていることが理解されるべきである。本書において使用された見出しは、項分けのみを目的とし、説明の範囲を制限するように使用されることはなんら意図されない。本明細書を通じて使用されたように、「〜しても良い」との用語は、強制的な意味合い（つまり、必須との意味）ではなく、許容的な意味合い（つまり、許可との意味）で使用されている。同様に、含む、有する、持つとは、含有することを意味し、それのみに制限されない。
【図１】
2015520689.tif 000003
【図２】
2015520689.tif 000004
【図３】
2015520689.tif 000005
【国際調査報告】
2015520689.tif 000006
2015520689.tif 000007
2015520689.tif 000008